(57)【要約】【課題】タッチセンサ及びディスプレイ装置において、画像の表示に用いられる窓部の周囲に配置され、画像の表示に用いることのできない額縁部を狭くする。【解決手段】ディスプレイ装置１０は、カバーガラス３０と偏光部材５０とフィルムセンサ部材４０と液晶パネル６０を備えている。フィルムセンサ部材４０の引回しパターンＰ２は、額縁部に対向する領域Ａｒ４から窓部に対向する領域Ａｒ５の一部にまではみ出した部分に遮光性の導電性材料で形成されている。偏光部材５０は、カバーガラス３０の加飾層３１の内側から入射して引回しパターンＰ２で反射される光を遮光する。【選択図】図１
2015014976.tif 000002
【特許請求の範囲】
【請求項１】
画像から出る光を通過させるための窓部及び前記窓部の周囲にある遮光性の額縁部を有する窓形成部材と、
前記窓形成部材と重ねられる透明な基体シート、前記額縁部から前記窓部の一部にまではみ出した部分に対向する前記基体シートの配線領域に遮光性の導電性材料で形成されている引回しパターン、及び前記配線領域の内側にある前記基体シートのセンサ領域に透明の導電性材料で形成されている透明電極パターンを有するフィルムセンサ部材と、
前記引回しパターンよりも前記窓形成部材の側に配置され、前記窓部から入射して前記引回しパターンで前記窓部に向かって反射される光を遮光する偏光特性を持つ偏光部材と
を備える、タッチセンサ。
【請求項２】
前記偏光部材は、
前記窓形成部材の側に配置され、直線偏光を通過させる直線偏光フィルムと、
前記直線偏光フィルムに対して前記引回しパターンの側に配置され、４分の１波長の位相ずれを発生させるλ／４位相差フィルムと
を含む、
請求項１に記載のタッチセンサ。
【請求項３】
前記基体シートは、前記窓形成部材の側に配置されている一方主面と前記一方主面の反対側に配置されている他方主面とを有する前記λ／４位相差フィルムからなり、
前記引回しパターンは、前記λ／４位相差フィルムの前記他方主面に形成されている、
請求項２に記載のタッチセンサ。
【請求項４】
前記基体シートは、前記窓形成部材の側に配置されている一方主面と前記一方主面の反対側に配置されている他方主面とを有する光学等方性フィルムからなり、
前記引回しパターンは、前記光学等方性フィルムの前記他方主面に形成されている、
請求項１又は請求項２に記載のタッチセンサ。
【請求項５】
前記フィルムセンサ部材は、前記基体シートの前記配線領域が前記額縁部に対向する額縁対向領域と前記窓部に対向する窓部対向領域とを有し、前記引回しパターンの少なくとも一部が前記窓部対向領域の配線幅が前記額縁対向領域の配線幅以上になるようにパターニングされているか又は前記引回しパターンの間にダミーパターンが配置されている、
請求項１から４のいずれか一項に記載のタッチセンサ。
【請求項６】
光を通過させるための窓部及び前記窓部の周囲にある遮光性の額縁部を有する窓形成部材と、
前記窓形成部材と重ねられる透明な基体シート、前記額縁部から前記窓部の一部にまではみ出した部分に対向する前記基体シートの配線領域に遮光性の導電性材料で形成されている引回しパターン、及び前記配線領域の内側にある前記基体シートのセンサ領域に透明の導電性材料で形成されている透明電極パターンを有するフィルムセンサ部材と、
前記引回しパターンよりも前記窓形成部材の側に配置され、前記窓部から入射して前記引回しパターンで前記窓部に向かって反射される光を遮光する偏光特性を持つ第１偏光部材と、
前記フィルムセンサ部材に対して前記窓形成部材の反対側に配置されている液晶パネルと、
前記液晶パネルと前記第１偏光部材との間に配置され、前記液晶パネルから出射される光が前記第１偏光部材を通過するように前記液晶パネルから出射される光を偏光する第２偏光部材と
を備える、ディスプレイ装置。
【請求項７】
光を通過させるための窓部及び前記窓部の周囲にある遮光性の額縁部を有する窓形成部材と、
前記窓形成部材と重ねられる基体シート、前記額縁部から前記窓部の一部にまではみ出した部分に対向する前記基体シートの配線領域に遮光性の導電性材料で形成されている引回しパターン、及び前記配線領域の内側にある前記基体シートのセンサ領域に透明の導電性材料で形成されている透明電極パターンを有するフィルムセンサ部材と、
前記引回しパターンよりも前記窓形成部材の側に配置され、前記窓部から入射して前記引回しパターンで前記窓部に向かって反射される光を遮光する偏光特性を持つ偏光部材と、
前記フィルムセンサ部材に対して前記窓形成部材の反対側に配置され、非偏光光を使って表示する表示パネルと
を備え、
前記基体シートは、４分の１波長の位相ずれを発生させるλ／４位相差フィルム又は光学等方性フィルムからなる、ディスプレイ装置。
【発明の詳細な説明】
【技術分野】
【０００１】
本発明は、タッチセンサ及びディスプレイ装置、特に液晶パネルなどの表示パネルとともに用いられるタッチセンサ及び液晶パネルなどの表示パネルを備えるディスプレイ装置に関する。
【背景技術】
【０００２】
従来から、液晶パネルなどの表示パネルとタッチセンサとを重ねられているタッチスクリーン或いはタッチパネルなどと呼ばれる入力装置が知られている。このようなタッチスクリーンでは、表示パネルによって映し出される画像の上に指などを置くことで画像を確認しながら入力することができる。例えば、特許文献１（特開２０１１−８１８１０号公報）には、液晶パネルを備える静電容量式のタッチパネルが記載されている。
【先行技術文献】
【特許文献】
【０００３】
【特許文献１】特開２０１１−８１８１０号公報
【発明の概要】
【発明が解決しようとする課題】
【０００４】
ところで、タッチスクリーンなどの入力装置では、液晶パネルなどの表示パネルとタッチセンサとを収納して保護するために、表示パネルやタッチセンサの周囲がフレーム部材で囲まれている。フレーム部材などが表示パネルやタッチセンサなどの上に覆いかぶさるため、表示パネルの全体の面積に対して画像を表示できる面積の方が小さくなる。そのため、このような入力装置においては、装置を小型化したいという要求から、画像が表示される表示画面（窓部）を広げる一方で表示画面の周囲の額縁部を狭くすることが求められることがある。
しかし、タッチセンサには、センシングのための信号を伝達するための配線が必要になり、画像が表示される窓部の周囲の額縁部と重なる領域を使って配線がなされることから額縁部を狭くする上での障害になっている。
【０００５】
本発明の課題は、タッチセンサ及びディスプレイ装置において、画像の表示に用いられる窓部の周囲に配置され、画像の表示に用いることのできない額縁部を狭くすることにある。
【課題を解決するための手段】
【０００６】
以下に、課題を解決するための手段として複数の態様を説明する。これら態様は、必要に応じて任意に組み合せることができる。
本発明の一見地に係るタッチセンサは、画像から出る光を通過させるための窓部及び窓部の周囲にある遮光性の額縁部を有する窓形成部材と、窓形成部材と重ねられる透明な基体シート、額縁部から窓部の一部にまではみ出した部分に対向する基体シートの配線領域に遮光性の導電性材料で形成されている引回しパターン、及び配線領域の内側にある基体シートのセンサ領域に透明の導電性材料で形成されている透明電極パターンを有するフィルムセンサ部材と、引回しパターンよりも窓形成部材の側に配置され、窓部から入射して引回しパターンで窓部に向かって反射される光を遮光する偏光特性を持つ偏光部材とを備える、ものである。
【０００７】
このように構成されたタッチセンサでは、窓部の一部にまではみ出した部分に引回しパターンが形成されているため、このはみ出した部分の幅と窓形成部材の額縁部の幅とを使って引回しパターンを形成できるので、窓形成部材の額縁部の幅を狭くすることができる。その一方で、従来から窓部の周囲には画像表示に用いられない領域があったことからこの領域までは引回しパターンがはみ出しても画像表示領域を狭めなくても済むため、画像表示領域を従来と同じに保つときは、タッチセンサを小型化することができる。そして、窓部の一部にまで引回しパターンがはみ出しても、偏光部材によって引回しパターンの反射光が遮光され、引回しパターンがはみ出したことによって見栄えが悪くなるのを防ぐことができる。
【０００８】
偏光部材は、窓形成部材の側に配置され、直線偏光を通過させる直線偏光フィルムと、直線偏光フィルムに対して引回しパターンの側に配置され、４分の１波長の位相ずれを発生させるλ／４位相差フィルムとを含むものであってもよい。このように構成されることにより、引回しパターンで反射された光が再びλ／４位相差フィルムを通過すると、引回しパターンでの反射光は、直線偏光フィルムに到達したときには直線偏光フィルムで遮光される向きの直線偏光になって遮光される。
【０００９】
基体シートは、窓形成部材の側に配置されている一方主面と一方主面の反対側に配置されている他方主面とを有するλ／４位相差フィルムからなり、引回しパターンは、λ／４位相差フィルムの他方主面に形成されていてもよい。このように構成されることにより、基体シートを他方主面側に通過して引回しパターンで反射した光は、再び基体シートを通過することで直線偏光フィルムに到達したときには直線偏光フィルムで遮光される向きの直線偏光になって遮光される。
【００１０】
基体シートは、窓形成部材の側に配置されている一方主面と一方主面の反対側に配置されている他方主面とを有する光学等方性フィルムからなり、引回しパターンは、光学等方性フィルムの他方主面に形成されていてもよい。このように構成されることにより、引回しパターンで反射される光の位相が基体シートを通過することによってずれを生じないため、基体シートの他方主面に引回しパターンが形成されても偏光部材による遮光を十分に発揮させることができる。
【００１１】
フィルムセンサ部材は、基体シートの配線領域が額縁部に対向する額縁対向領域と窓部に対向する窓部対向領域とを有し、引回しパターンの少なくとも一部が窓部対向領域の配線幅が額縁対向領域の配線幅以上になるようにパターニングされているか又は前記引回しパターンの間にダミーパターンが配置されていてもよい。このように構成されることにより、窓部対向領域にはみ出して引回しパターン又はダミーパターンの形成されている部分の占有面積を大きくして引回しパターンの間隙を小さくすることにより、窓部対向領域にはみ出した引回しパターンを目立たなくすることができる。
【００１２】
本発明の一見地に係るディスプレイ装置は、光を通過させるための窓部及び窓部の周囲にある遮光性の額縁部を有する窓形成部材と、窓形成部材と重ねられる透明な基体シート、額縁部から窓部の一部にまではみ出した部分に対向する基体シートの配線領域に遮光性の導電性材料で形成されている引回しパターン、及び配線領域の内側にある基体シートのセンサ領域に透明の導電性材料で形成されている透明電極パターンを有するフィルムセンサ部材と、引回しパターンよりも窓形成部材の側に配置され、窓部から入射して引回しパターンで窓部に向かって反射される光を遮光する偏光特性を持つ第１偏光部材と、フィルムセンサ部材に対して窓形成部材の反対側に配置されている液晶パネルと、液晶パネルと第１偏光部材との間に配置され、液晶パネルから出射される光が第１偏光部材を通過するように液晶パネルから出射される光を偏光する第２偏光部材とを備える、ものである。
このように構成されたディスプレイ装置では、第１偏光部材によって引回しパターンの反射光が遮光され、引回しパターンがはみ出したことによって見栄えが悪くなるのを防ぐことができる。その一方で、液晶パネルから出射される光が第１偏光部材によって遮光されるのを第２偏光部材で防ぐことができ、液晶パネルを用いても窓部の一部にまではみ出した部分に引回しパターンを形成して窓形成部材の額縁部の幅を狭くし、ディスプレイ装置の小型化を図ることができる。
【００１３】
本発明の他の見地に係るディスプレイ装置は、光を通過させるための窓部及び窓部の周囲にある遮光性の額縁部を有する窓形成部材と、窓形成部材と重ねられる基体シート、額縁部から窓部の一部にまではみ出した部分に対向する基体シートの配線領域に遮光性の導電性材料で形成されている引回しパターン、及び配線領域の内側にある基体シートのセンサ領域に透明の導電性材料で形成されている透明電極パターンを有するフィルムセンサ部材と、引回しパターンよりも窓形成部材の側に配置され、窓部から入射して引回しパターンで窓部に向かって反射される光を遮光する偏光特性を持つ偏光部材と、フィルムセンサ部材に対して窓形成部材の反対側に配置され、非偏光光を使って表示する表示パネルとを備え、基体シートは、４分の１波長の位相ずれを発生させるλ／４位相差フィルム又は光学等方性フィルムからなる、ものである。
このように構成されたディスプレイ装置では、偏光部材によって引回しパターンの反射光が遮光され、引回しパターンがはみ出したことによって見栄えが悪くなるのを防ぐことができる。その一方で、表示パネルから出射される非偏光光が基体シートで悪影響を受けることはなく、非偏光光を出す表示パネルを用いても窓部の一部にまではみ出した部分に引回しパターンを形成して窓形成部材の額縁部の幅を狭くし、ディスプレイ装置の小型化を図ることができる。それと同時に、表示パネルの上に形成されるパターンでの反射光を偏光部材によって遮光することができる。
【発明の効果】
【００１４】
本発明によれば、窓部の一部にまではみ出した部分に対向する配線領域に引回しパターンを形成することで、画像の表示に用いられる窓部の周囲に配置され、画像の表示に用いることのできない額縁部を狭くすることができる。
【図面の簡単な説明】
【００１５】
【図１】第１実施形態に係るディスプレイ装置の構成の概要を示す分解斜視図。
【図２】フィルムセンサ部材のパターンを説明するための平面図。
【図３】加飾層とフィルムセンサ部材のパターンとの関係を説明するための平面図。
【図４】フィルムセンサ部材のパターンを説明するための底面図。
【図５】フィルムセンサ部材の構成を説明するための模式的な断面図。
【図６】（ａ）従来のフィルムセンサ部材の構成を説明するための模式的な断面図、（ｂ）図６（ａ）と比較される第１実施形態のフィルムセンサ部材の模式的な断面図。
【図７】第２実施形態に係るディスプレイ装置の構成の概要を示す分解断面図。
【図８】第３実施形態に係るディスプレイ装置の構成の概要を示す分解断面図。
【図９】第４実施形態に係るディスプレイ装置の構成の概要を示す分解断面図。
【図１０】変形例２に係るディスプレイ装置の構成の概要を示す分解断面図。
【発明を実施するための形態】
【００１６】
＜第１実施形態＞
（１）ディスプレイ装置の構成の概要
図１は本発明の第１実施形態に係るディスプレイ装置の構成の概要を示す分解斜視図である。図１に示されているディスプレイ装置１０は、フレーム部材２０とカバーガラス３０とフィルムセンサ部材４０と偏光部材５０と液晶パネル６０とを備えている。なお、通常、ディスプレイ装置１０は、フレーム部材２０と嵌合されて筐体を構成する裏蓋（図示せず）など他の部材を備えるが、ここでは主に発明の説明に必要な構成部材を記載している。
フレーム部材２０の内部にカバーガラス３０と偏光部材５０とフィルムセンサ部材４０と液晶パネル６０が順に図１に示されているように嵌め込まれる。この第１実施形態において、タッチセンサ１５の構成部材には、少なくともカバーガラス３０と偏光部材５０とフィルムセンサ部材４０が含まれる。
【００１７】
（２）各部の構成
（２−１）フレーム部材２０
フレーム部材２０は、光を通過させるために長方形状に開口されている開口部２１と、上部に形成されて開口部２１の周囲を取り巻く環状の周縁部２２と、周縁部２２から下に延びる周壁２３とを有している。フレーム部材２０は、通常、金属や樹脂などの光を通さない材質で形成される。
【００１８】
（２−２）カバーガラス３０
カバーガラス３０は、内部の構造を保護するための長方形の板ガラス３２を含んでおり、開口部２１よりも少し大きい形状を有している。カバーガラス３０は、周壁２３の内壁よりも小さいので周壁２３の内部に嵌り込む。通常ガラスは光学等方性を有するため、板ガラス３２には例えばソーダガラスなど一般に多用されている材質のものを用いて差し支えない。
カバーガラス３０の周囲には、枠状の加飾層３１が形成されている。この枠状の加飾層３１は、例えばスクリーン印刷によって形成されており、意匠印刷部と言い換えることもできる。この加飾層３１は、加飾層３１の下から入射する光を遮断する機能を持っている。このような加飾層３１は、例えば、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂及びアルキド樹脂などから選択される樹脂をバインダとして、適切な色の顔料又は染料を着色剤として含有する着色インキを用いて形成される。
【００１９】
（２−３）フィルムセンサ部材４０
フィルムセンサ部材４０は、主に、基体シート４１と透明導電膜４２と遮光性導電膜４３と防錆機能層４４からなる（図５参照）。
基体シート４１は、単層のλ／４位相差フィルムからなる透明なシートである。λ／４位相差フィルムを得るには、例えば、光弾性定数が７０×１０−１２Ｐａ−１以下である高分子フィルムを一軸延伸する（又は逐次或いは同時に二軸延伸する）ことにより、高分子フィルム自身をλ／４位相差フィルムとする方法や、光弾性定数が７０×１０−１２Ｐａ−１以下である高分子フィルム上に化合物の層（例えば高分子液晶からなる層）を設けて化合物の層と高分子フィルムとを組み合わせてλ／４位相差フィルムとする方法がある。λ／４位相差フィルムは、透過する光に対してλ／４の位相差を与えることのできる透明なフィルムである。理想的には、λ／４の位相差を与えるとは、可視光線領域の全ての波長に対して、λ／４の位相差を与えるという意味になると考えられる。しかしここでλ／４の位相差を与えるとは、所望の波長、例えば波長５５０ｎｍの光にλ／４の位相差を与えるという意味であり、他の波長の光に対しては実用上問題のない範囲で波長５５０ｎｍ（所望の波長）の光に与えられる位相差からずれることも許容する。そして、波長５５０ｎｍにおける基体シート４１のリタデーション値（Δｎｄ：屈折率差×フィルム厚さ）は、１２５〜１５０ｎｍであることが好ましく、１３１〜１４５ｎｍであることがより好ましい。
図２には、フレキシブル配線基板７０が取り付けられたフィルムセンサ部材４０の平面状態が模式的に示されている。図２に示されているように、基体シート４１には、センサ領域Ａｒ１と配線領域Ａｒ２とがある。センサ領域Ａｒ１には透明導電膜４２による透明電極パターンＰ１が配置されており、センサ領域Ａｒ１にユーザの指が作用すると、ユーザによる入力の有無と入力位置とが透明導電膜４２を使って検出される。配線領域Ａｒ２には透明導電膜４２と遮光性導電膜４３とによる引回しパターンＰ２及び端子パターンＰ３が配置されており、フィルムセンサ部材４０は端子パターンＰ３を介してフレキシブル配線基板７０に接続される。これらセンサ領域Ａｒ１と配線領域Ａｒ２の境界が境界線Ｂ１になる。
次に、図１と図３とを比較しながら、加飾層３１とセンサ領域Ａｒ１及び配線領域Ａｒ２との位置関係を説明する。この第１実施形態においては、加飾層３１の形成されている領域が額縁部に対応し、加飾層３１の最内周の内側が窓部に対応する。加飾層３１の最内周をフィルムセンサ部材４０に投影したものが、境界線Ｂ２になる。従って、境界線Ｂ２の内側にある図１の領域Ａｒ３が窓部に対向する領域であり、境界線Ｂ２の外側にある図１の領域Ａｒ４が額縁部に対向する領域である。図１を見ると分かるように、窓部に対向する領域Ａｒ３にまで配線領域Ａｒ２に属する引回しパターンＰ２がはみ出して形成されている。図３には、カバーガラス３０の下にフィルムセンサ部材４０を重ねて、カバーガラス３０の上からフィルムセンサ部材４０を見た状態が示されている。図３を見ると、加飾層３１の最内周よりも引回しパターンＰ２がはみ出している様子がよく分かる。言い換えると、透明電極パターンＰ１と引回しパターンＰ２の境界が窓部の中に入り込んでいることになる。このように引回しパターンＰ２が額縁部に対向する領域Ａｒ４から窓部に対向する領域Ａｒ４の一部にまではみ出した部分に配置されていることについての効果などについては後ほど詳細に説明する。
【００２０】
透明導電膜４２は、例えばインジウムスズ酸化物、亜鉛酸化物などの金属酸化物などの透明で導電性を有する材料で形成できる。金属酸化物で透明導電膜４２を形成するときには、例えば真空蒸着法、スパッタリング法、イオンプレーティング法及び鍍金法などを用いることができる。透明導電膜４２は、例えば厚みが数十ｎｍから数百ｎｍ程度である。透明導電膜４２は、光線透過率が８０％以上であることが好ましく、表面抵抗値が数ｍΩから数百Ωの範囲内の所定の値を示すことが好ましい。
遮光性導電膜４３は、例えば、導電率が高くかつ遮光性のある単一金属又は合金からなる金属膜や化合物からなる導電層で形成できる。遮光性導電膜４３を形成するための好ましい金属としては、例えば、アルミニウム、ニッケル、銅、銀及び錫が挙げられる。特に銅箔からなる厚み２０ｎｍ〜１０００ｎｍの金属膜は、導電性及び遮光性に優れている。透明導電膜４２と遮光性導電膜４３は、例えば、第１エッチング液で両方がエッチングされるが、第２エッチング液では遮光性導電膜４３のみがエッチングされるような材料構成にすると製造が容易になる。銅箔を遮光性導電膜４３として用いるときは、例えば、塩化第二鉄を第１エッチング液として用いて銅箔と共に透明導電膜４２をエッチングし、酸性雰囲気下で過酸化水素水を用いて銅箔のみをエッチングして透明導電膜４２がエッチングされずに残るようにすることができる。このように用いる場合の銅箔の厚みは，例えば３０ｎｍ以上であり、好ましくは１００ｎｍ〜５００ｎｍである。銅箔を用いた遮光性導電膜４３を１００ｎｍ以上の厚みに設定することで高い導電性が得られ、５００ｎｍ以下に設定することで取り扱いやすくかつ加工性に優れたものが得られる。
図４には、フィルムセンサ部材４０の下面の回路パターンが示されている。フィルムセンサ部材４０の表側の透明電極パターンＰ１が例えばＸ方向電極とすると、下面側の透明電極パターンＰ４はＹ方向電極になる。これら透明電極パターンＰ１，Ｐ４は、互いに直交する方向に延びており、両者を一つの平面に重ねると格子を形作るように配置されている。そのため、ユーザの指等がカバーガラス３０に触れると、その指等の近傍の透明電極パターンＰ１，Ｐ４との間でそれぞれコンデンサが形成される。このコンデンサの形成によって、ＸＹ座標上の指等の近傍の透明電極パターンＰ１，Ｐ４の静電容量が増大する。タッチセンサの位置検出部（図示せず）は、静電容量の変化した或いは静電容量の増大した透明電極パターンＰ１，Ｐ４を特定することで、指等が触れられているＸＹ座標上のポイントを特定する。
【００２１】
ところで、図４に示されているように、下面にも、引回しパターンＰ５及び端子パターンＰ６が設けられている。引回しパターンＰ５及び端子パターンＰ６と引回しパターン２及び端子パターンＰ３との位置関係については後ほど詳しく説明する。
図５には、タッチセンサ１５の断面が模式的に示されている。基体シート４１の上（カバーガラス３０の側）には、透明電極パターンＰ１を構成している透明導電膜４２が形成され、透明導電膜４２の上に透明導電膜４２とともに引回しパターン２を構成している遮光性導電膜４３が形成されている。そして、基体シート４１の上面側のほぼ全体に防錆機能層４４が形成され、透明導電膜４２及び遮光性導電膜４３のうち端子パターンＰ３を除く部分が防錆機能層４４で覆われている。また、基体シート４１の下（液晶パネル６０の側）には、透明電極パターンＰ４を構成している透明導電膜４２が形成され、透明導電膜４２の下に透明導電膜４２とともに引回しパターン５を構成している遮光性導電膜４３が形成されている。そして、基体シート４１の下面側のほぼ全体に防錆機能層４４が形成され、透明導電膜４２及び遮光性導電膜４３のうち端子パターンＰ６を除く部分が防錆機能層４４で覆われている。なお、図５において、領域Ａｒ５が窓部の配置領域に対応し、領域Ａｒ６が額縁部の配置領域に対応している。
透光性の防錆機能層４４は、基体シート４１の上面及び下面の全面にそれぞれ形成される。透光性の防錆機能層４４の材料としては、エポキシ系、ウレタン系、アクリル系などの熱硬化性樹脂や、ウレタンアクリレート系、シアノアクリレート系などの紫外線硬化型樹脂が挙げられる。防錆機能層４４は、グラビア、スクリーン、オフセットなどの汎用の印刷法のほか、各種コーターによる方法、塗装、ディッピングなどの方法により形成することができる。また、透明電極パターンＰ１，Ｐ４および引回しパターンＰ２，Ｐ５を防錆機能層４４で被覆するときは、透明電極パターンＰ１，Ｐ４および引回しパターンＰ２，Ｐ５の上面のみではなく、端子パターンＰ３，Ｐ６の周辺部分を除いて、側面をも覆うことが好ましい。
【００２２】
（２−４）偏光部材５０
偏光部材５０は、図５に示されているように、直線偏光フィルム５１とλ／４位相差フィルム５２とを、カバーガラス３０の側から順に重ねて構成されている。λ／４位相差フィルム５２には、例えば上述の基体シート４１と同様のλ／４位相差フィルムを用いることができる。直線偏光フィルム５１には、例えば、ポリビニルアルコールに、ヨウ素又は染料などの二色性色素を添加して延伸し、表裏両面にトリアセチルセルロースのようなセルロース系の保護膜を被覆した可撓性のある偏光フィルムを用いることができる。そのような直線偏光フィルム５１としては、例えば、日東電工株式会社製の「ＨＥＧ１４２５ＤＵ」が挙げられる。
【００２３】
（２−５）液晶パネル６０
液晶パネル６０では液晶を使って表示が行われるため、液晶パネル６０からカバーガラス３０の方に向けて出射される光は直線偏光である。そのため、λ／４位相差フィルムで構成されている基体シート４１と偏光部材５０のλ／４位相差フィルム５２を透過することで、直線偏光のまま直線偏光フィルム５１に入射する。このとき、直線偏光の振動方向が直線偏光フィルム５１を通過する方向にあわせてあれば、液晶パネル６０から出射された光は偏光部材５０を通過することができる。
【００２４】
（３）狭額縁化の説明
図６（ａ）は、従来の引回しパターンの配置を説明するための模式的な断面図であり、図６（ｂ）は、図５のタッチセンサ１５の引回しパターンの配置を説明するための模式的な断面図である。図６（ａ）及び図６（ｂ）においては、基体シートの上に形成されている引回しパターンを説明するため、基体シートの下に形成されている引回しパターンや透明電極パターンや防錆機能層などの説明に用いられない構成は、図示が省略されている。以下の説明では、ユーザがカバーガラス３０の上方からカバーガラス３０の下方にある液晶パネル６０を見ている状態を想定している。
まず、液晶パネル６０には、液晶画像が表示されるディスプレイ表示部６１と、ディスプレイ表示部６１の周囲に形成されているディスプレイ遮光部６２がある。例えば、液晶によって表示される画像のコントラストを上げるために、ディスプレイ表示部６１からはバックライトなどによって光がカバーガラス３０の方に向かって放射されている。ディスプレイ遮光部６２は、液晶パネル６０から放射される光のうちの周縁部からの光が漏れないように遮光されている部分である。
ディスプレイ装置１０は、カバーガラス３０から液晶パネル６０までの厚みが薄いことから、液晶パネル６０の上面に対して垂直方向から少しずれた斜め方向に光が出ても、引回しパターンの配置位置による影響が垂直方向に出る光とほぼ同じになるとみなすことができる。そこで、以下においては、説明を分かりやすくするために液晶パネル６０の上面に対して垂直に放射される光ＬＬ１について行う。
また、従来のディスプレイ装置１００も、ディスプレイ装置１０と同じ液晶パネル６０を備え、ディスプレイ表示部６１の大きさも同じものとして説明する。
ディスプレイ表示部６１とディスプレイ遮光部６２の境界線ｂｂ１の光がユーザに見えるようにするために、境界線ｂｂ１の内側には遮光するような部材は配置されない。境界線ｂｂ１の近傍の遮光性の部材の配置位置と境界線ｂｂ１との間には、部材の大きさのばらつきなどを考慮して、境界線ｂｂ１の外側にマージンMM１が設けられる。
【００２５】
そこで、ディスプレイ装置１０では、境界線ｂｂ１と引回しパターンＰ２の最内周位置との間にマージンMM１が設けられる。一方、従来のディスプレイ装置１００では、境界線ｂｂ１と加飾層１３１の最内周位置との間にマージンMM１が設けられる。つまり、境界線ｂｂ１の外側に設けるマージンMM１が同じであれば、ディスプレイ装置１０の引回しパターンＰ２の最内周位置を従来のディスプレイ装置１００の加飾層１３１の最内周位置つまり境界線ｂｂ２のところまで内側に寄せて配置できるということである。
次に、従来のディスプレイ装置１００においては、引回しパターンＰ１０２が加飾層１３１の外側に配置されており、引回しパターンＰ１０２の最内周位置と境界線ｂｂ２との間にマージンMM２が設けられる。それに対し、ディスプレイ装置１０においては、加飾層３１が引回しパターンＰ２の外側に配置されており、加飾層３１の最内周位置と境界線ｂｂ２との間にマージンMM２が設けられる。
本願のディスプレイ装置１０に従来のディスプレイ装置１００と同じようなセンサ機能を持たせることを考えると、ディスプレイ装置１０，１００の引回しパターンＰ２，Ｐ１０２の配線に必要な配線領域幅Ｌ１はほぼ同じになる。そのため、ディスプレイ装置１０の引回しパターンＰ２の最外周位置とディスプレイ装置１００の最外周位置とを比較すると引回しパターンＰ２の方が内側にあってその差ΔＬは、マージンMM２とほぼ同じになる。基体シート４１，１４１の両側に引回しパターンＰ２，Ｐ１０２が配置されるとすると、ディスプレイ装置１０の基体シート４１の長さＬ２は従来のディスプレイ装置１００の基体シート１４１の長さＬ３よりもマージンMM２の２倍の長さだけ短く設計すること（Ｌ３−Ｌ２＝MM２×２）が可能になる。その結果、カバーガラス３０，１３０の大きさと基体シート４１，１４１の大きさとの間に同じ大きさのマージンMM３を持たせるとすると、ディスプレイ装置１０のカバーガラス３０の大きさが従来のディスプレイ装置１００のカバーガラス１３０の大きさよりもMM２×２だけ小さくすることができ、ディスプレイ装置１０が従来のディスプレイ装置１００よりも小型化できる。
【００２６】
（４）引回しパターンの遮光
上述のように、ディスプレイ装置１０が従来のディスプレイ装置１００よりも小型化できる反面、引回しパターン１が窓部、つまり加飾層３１の最内周位置よりも内側にはみ出してしまう。そのため、引回しパターン１には、外部からカバーガラス３０の窓部を透過して入射する光が当たってしまう。
このようにカバーガラス３０の外部から引回しパターンＰ２に入射する光ＬＬ２（図５参照）は、まず、直線偏光フィルム５１を通過して直線偏光になり、次にλ／４位相差フィルム５２を通過して円偏光になる。次に、引回しパターンＰ２で反射された円偏光は、再びλ／４位相差フィルム５２を通過して直線偏光になる。再びλ／４位相差フィルム５２を通過した直線偏光の振動方向が、直線偏光フィルム５１を通過する光の振動方向に対して直交する向きになっているため、再びλ／４位相差フィルム５２を通過した直線偏光は、直線偏光フィルム５１で遮光されてカバーガラス３０の方には出射されない。そのため、加飾層３１を黒くしておけば、引回しパターンＰ２が存在する部分も黒くなるので、加飾層３１と引回しパターンＰ２の境界が目立たなくなる。
このような引回しパターンＰ２の遮光によって引回しパターンＰ２のはみ出し部分を目立たなくするための工夫がなされている。つまり、図１に示されているように、引回しパターンＰ２は、窓部に対向している領域Ａｒ３にはみ出し部分Ｐ２ａの配線幅が、額縁部に対向している領域Ａｒ４にある部分Ｐ２ｂの配線幅以上の太さになるように形成されている。また、透明電極パターンＰ１又は端子パターンＰ３に接続されていないダミーパターンＤＰが窓部に対向している領域Ａｒ３に形成されている。ダミーパターンＤＰの構造は、引回しパターンＰ２と同様である。それにより、窓部に対向している領域Ａｒ３における遮光性のパターンの隙間を小さくしている。引回しパターンＰ２同士の隙間又はダミーパターンＤＰと引回しパターンＰ２との間の隙間は、隙間を目立たせないために、４０μｍ以下が好ましい。
【００２７】
＜第２実施形態＞
（５）ディスプレイ装置の構成の概要
次に、本発明の第２実施形態に係るディスプレイ装置の構成について、図７を用いて説明する。図７に示されている第２実施形態のディスプレイ装置１０Ａは、第１実施形態のディスプレイ装置１０と異なり、例えば有機エレクトロルミネッセンス（以下有機ＥＬという）などの自然光を使った表示パネル６０Ａを備えている。ディスプレイ装置１０Ａは、液晶パネル６０に代えて表示パネル６０Ａを備えるために、第１実施形態のディスプレイ装置１０に比べてλ／４位相差フィルムの数が一つ少なくなっている。なお、この第２実施形態において、タッチセンサ１５Ａの構成部材には、少なくともカバーガラス３０と偏光部材５０Ａとフィルムセンサ部材４０Ａが含まれる。
すなわち、第２実施形態のディスプレイ装置１０Ａは、上から順に配置されている、カバーガラス３０、直線偏光フィルムで構成されている偏光部材５０Ａ、フィルムセンサ部材４０Ａ及び表示パネル６０Ａを備えている。これらのうち、カバーガラス３０については、ディスプレイ装置１０，１０Ａとも同じであるため、カバーガラス３０についての説明を省略する。なお、図７と後述の図８及び図９において、領域Ａｒ５が窓部の配置領域に対応し、領域Ａｒ６が額縁部の配置領域に対応している。
ディスプレイ装置１０Ａの偏光部材５０Ａは、ディスプレイ装置１０の偏光部材５０を構成している直線偏光フィルム５１とλ／４位相差フィルム５２からλ／４位相差フィルム５２を除いたものと同じになる。
表示パネル６０Ａから出射される光が自然光（非偏光光）は、液晶パネル６０から出射される偏光光とは異なり、λ／４位相差フィルムである基体シート４１Ａを通過しても円偏光にはならないので、基体シート４１Ａの前後のいずれかにλ／４位相差フィルムを設ける必要がない。
【００２８】
第２実施形態のフィルムセンサ部材４０Ａにおいては、第１実施形態のフィルムセンサ部材４０の基体シート４１の上面の引回しパターンＰ２及び下面の引回しパターンＰ５と同様に基体シート４１Ａの上面の引回しパターンＰ２Ａ及び下面の引回しパターンＰ５Ａを有している。第２実施形態のフィルムセンサ部材４０Ａは、フィルムセンサ部材４０とは異なり、下面側の引回しパターンＰ５Ａが窓部の領域Ａｒ５の一部にまではみ出している構成になっている。一方、フィルムセンサ部材４０Ａの上面の引回しパターンＰ２Ａは額縁部の領域Ａｒ６に対向する領域内に収まるように配置されている。第２実施形態のフィルムセンサ部材４０Ａと第１実施形態のフィルムセンサ部材４０とは例えば上下を反転させれば同じような構成になる。つまり、上下いずれの引回しパターンをはみ出させて配線するかの違いだけで、それ以外は第２実施形態のフィルムセンサ部材４０Ａと第１実施形態のフィルムセンサ部材４０とは同じ構成にすることができる。
基体シート４１Ａの下面側の引回しパターンＰ５Ａがはみ出しているが、このはみ出した部分にカバーガラス３０の側から入射する光は、直線偏光フィルムからなる偏光部材５０Ａとλ／４位相差フィルムである基体シート４１Ａを通過するので、偏光部材５０Ａと基体シート４１Ａとによって遮光される。
【００２９】
＜第３実施形態＞
（６）ディスプレイ装置の構成の概要
次に、本発明の第３実施形態に係るディスプレイ装置の構成について、図８を用いて説明する。図８に示されている第３実施形態のディスプレイ装置１０Ｂは、第２実施形態のディスプレイ装置１０Ａと同様に、有機ＥＬなどの自然光を使った表示パネル６０Ａを備えている。第３実施形態のディスプレイ装置１０Ｂは、偏光部材５０Ａに代えて第１実施形態のディスプレイ装置１０と同様の偏光部材５０を備えている。そのために、第３実施形態のディスプレイ装置１０Ｂは、基体シート４１Ｂが第２実施形態の基体シート４１と異なっている。なお、この第３実施形態において、タッチセンサ１５Ｂの構成部材には、少なくともカバーガラス３０と偏光部材５０とフィルムセンサ部材４０Ｂが含まれる。
すなわち、第３実施形態のディスプレイ装置１０Ｂは、上から順に配置されている、カバーガラス３０、偏光部材５０、フィルムセンサ部材４０Ｂ及び表示パネル６０Ａを備えている。これらのうち、カバーガラス３０及び表示パネル６０Ａについては、ディスプレイ装置１０Ａ，１０Ｂがともに同じであり、偏光部材５０については、ディスプレイ装置１０，１０Ｂがともに同じであるため、それらについての説明を省略する。
【００３０】
第３実施形態のフィルムセンサ部材４０Ｂは、第２実施形態のフィルムセンサ部材４０Ａとは異なり、基体シート４１Ｂが光学等方性フィルムで形成されている。フィルムセンサ部材４０Ｂのうちのそれ以外の構成は、フィルムセンサ部材４０Ａと同様である。光学等方性フィルムとしては、例えばリタデーション値が３０ｎｍ以下のポリカーボネート系樹脂、ポリサルフォン、ポリエーテルサルフォン、ポリアリルサルフォン等のポリサルフォン系樹脂、ポリオレフィン系樹脂、セルローストリアセテート等のアセテート系樹脂、ポリアリレート系樹脂等のフィルムが挙げられる。これらの材質で構成される基体シート４１Ｂは、例えば厚さが１０〜２００μｍになる。
第３実施形態のフィルムセンサ部材４０Ｂにおいては、第１実施形態のフィルムセンサ部材４０の基体シート４１の上面の引回しパターンＰ２及び下面の引回しパターンＰ５と同様に基体シート４１Ｂの上面の引回しパターンＰ２Ｂ及び下面の引回しパターンＰ５Ｂを有している。そして、第３実施形態のフィルムセンサ部材４０Ｂにおいて窓部の領域Ａｒ５にはみ出しているのは、第１実施形態のフィルムセンサ部材４０と同様に、基体シート４１Ｂの上面に形成されている引回しパターンＰ２Ｂである。第１実施形態のディスプレイ装置１０と同様に第３実施形態のディスプレイ装置１０Ｂにおいても、引回しパターンＰ２Ｂのうちのはみ出している部分での反射光が偏光部材５０で遮光される。そして、第３実施形態のフィルムセンサ部材４０Ｂでは、基体シート４１Ｂが光学等方性フィルムであるから、表示パネル６０Ａから出射された自然光が基体シート４１Ｂと偏光部材５０とを透過しても偏光に起因する不具合は発生しない。
【００３１】
＜第４実施形態＞
（７）ディスプレイ装置の構成の概要
次に、本発明の第４実施形態に係るディスプレイ装置の構成について、図９を用いて説明する。図９に示されている第４実施形態のディスプレイ装置１０Ｃは、第２実施形態のディスプレイ装置１０Ａと同様に、有機ＥＬなどの自然光を使った表示パネル６０Ａを備えている。第４実施形態のディスプレイ装置１０Ｃは、第２実施形態のディスプレイ装置１０Ａの偏光部材５０Ａに代えて第１実施形態のディスプレイ装置１０と同様の偏光部材５０を備えている。そのために、第４実施形態のディスプレイ装置１０Ｃは、基体シート４１Ｃが第２実施形態の基体シート４１と異なっている。なお、この第４実施形態において、タッチセンサ１５Ｃの構成部材には、少なくともカバーガラス３０と偏光部材５０とフィルムセンサ部材４０Ｃが含まれる。
すなわち、第４実施形態のディスプレイ装置１０Ｃは、上から順に配置されている、カバーガラス３０、偏光部材５０、フィルムセンサ部材４０Ｃ及び表示パネル６０Ａを備えている。これらのうち、カバーガラス３０及び表示パネル６０Ａについては、ディスプレイ装置１０Ａ，１０Ｃがともに同じであり、偏光部材５０については、ディスプレイ装置１０，１０Ｃがともに同じであるため、それらについての説明を省略する。
【００３２】
第４実施形態のフィルムセンサ部材４０Ｃは、第２実施形態のフィルムセンサ部材４０Ａとは異なり、基体シート４１Ｃが光学等方性フィルムで形成されている。第４実施形態のフィルムセンサ部材４０Ｃにおいては、第２実施形態のフィルムセンサ部材４０Ａの基体シート４１Ａの上面の引回しパターンＰ２Ａ及び下面の引回しパターンＰ５Ａと同様に基体シート４１Ｃの上面の引回しパターンＰ２Ｃ及び下面の引回しパターンＰ５Ｃを有している。そして、第４実施形態のフィルムセンサ部材４０Ｃにおいては、第２実施形態のフィルムセンサ部材４０Ａと同様に、窓部の領域Ａｒ５にはみ出しているのは基体シート４１Ｃの下面に形成されている引回しパターンＰ５Ｃである。第１実施形態のディスプレイ装置１０と同様に第４実施形態のディスプレイ装置１０Ｃにおいても、引回しパターンＰ５Ｃのうちのはみ出している部分での反射光が偏光部材５０で遮光される。このように偏光部材５０による遮光が可能な理由は、反射光が、光学等方性フィルムからなる基体シート４１Ｃで偏光を受けずに透過するからである。
【００３３】
（８）特徴
（８−１）
上述の第１実施形態乃至第４実施形態においては、領域Ａｒ６にカバーガラス３０（窓形成部材の例）の加飾層３１が形成され、加飾層３１が遮光性の額縁部として機能している。加飾層３１の内側の領域Ａｒ５を画像から出る光が通過し、カバーガラス３０の領域Ａｒ５が窓部として機能している。基体シート４１の配線領域Ａｒ２は、加飾層３１から領域Ａｒ５の一部にまではみ出した部分に対向している。フィルムセンサ部材４０，４０Ａ，４０Ｂ，４０Ｃは、このような配線領域Ａｒ２に、引回しパターンＰ２，Ｐ５Ａ，Ｐ２Ｂ，Ｐ５Ｃを有している。領域Ａｒ５の一部にまではみ出した部分に引回しパターンＰ２，Ｐ５Ａ，Ｐ２Ｂ，Ｐ５Ｃが形成されているため、このはみ出した部分の幅と加飾層３１の幅とを使って引回しパターンＰ２，Ｐ５Ａ，Ｐ２Ｂ，Ｐ５Ｃを形成できるので、加飾層３１の幅を狭くすることができる。
図６（ａ）に示されているように、従来から窓部の周囲には画像表示に用いられない加飾層１３１があったことからこの領域までは引回しパターンＰ２，Ｐ５Ａ，Ｐ２Ｂ，Ｐ５Ｃがはみ出しても画像表示領域を狭めなくても済むため、画像表示領域を従来と同じに保つときは、タッチセンサを小型化することができる。
そして、領域Ａｒ５の一部にまで引回しパターンＰ２，Ｐ５Ａ，Ｐ２Ｂ，Ｐ５Ｃがはみ出しても、偏光部材５０，５０Ａによって引回しパターンＰ２，Ｐ５Ａ，Ｐ２Ｂ，Ｐ５Ｃの反射光が遮光されて黒くなる。一般に、加飾層３１は黒色であり、またディスプレイ遮光部６２も遮光により黒くなり、加飾層３１とディスプレイ遮光部６２と引回しパターンＰ２，Ｐ５Ａ，Ｐ２Ｂ，Ｐ５Ｃのはみ出し部分とが同じ黒色になるため、引回しパターンＰ２，Ｐ５Ａ，Ｐ２Ｂ，Ｐ５Ｃがはみ出したことによって見栄えが悪くなるのを防ぐことができる。
第１実施形態、第３実施形態及び第４実施形態の偏光部材５０は、カバーガラス３０の側に配置され、直線偏光を通過させる直線偏光フィルム５１と、直線偏光フィルム５１に対して引回しパターンＰ２，Ｐ２Ｂ，Ｐ５Ｃの側に配置され、４分の１波長の位相ずれを発生させるλ／４位相差フィルムとを含むものである。この場合、引回しパターンＰ２，Ｐ２Ｂ，Ｐ５Ｃで反射された光が再びλ／４位相差フィルム５２を通過すると、引回しパターンＰ２，Ｐ２Ｂ，Ｐ５Ｃでの反射光は、直線偏光フィルム５１に到達したときには直線偏光フィルム５１で遮光される向きの直線偏光になって遮光される。
【００３４】
（８−２）
第２実施形態の基体シート４１Ａは、カバーガラス３０の側に配置されている上面（一方主面の例）と上面の反対側に配置されている下面（他方主面の例）とを有するλ／４位相差フィルムからなっている。引回しパターンＰ５Ａは、λ／４位相差フィルムからなる基体シート４１Ａの下面に形成されていている。そのため、この基体シート４１Ａを下面側に通過して引回しパターンＰ５Ａで反射した光は、再び基体シート４１Ａを通過することで直線偏光フィルム５１に到達したときには直線偏光フィルム５１で遮光される向きの直線偏光になって遮光される。
【００３５】
（８−３）
第４実施形態の基体シート４１Ｃは、カバーガラス３０の側に配置されている上面（一方主面の例）と上面の反対側に配置されている下面（他方主面の例）とを有する光学等方性フィルムからなるっている。引回しパターンＰ５Ｃは、光学等方性フィルムからなる基体シート４１Ｃの下面に形成されている。この引回しパターンＰ５Ｃで反射される光の位相が基体シート４１Ｃを通過することによって位相にずれを生じないため、基体シート４１Ｃの下面に引回しパターンＰ５Ｃが形成されても偏光部材５０による遮光を十分に発揮させることができる。
【００３６】
（８−４）
第１実施形態のフィルムセンサ部材４０において説明したように、基体シート４１の配線領域Ａｒ２が額縁部に対向する額縁対向領域Ａｒ２ａと窓部に対向する窓部対向領域Ａｒ２ｂとを有している（図２参照）。引回しパターンＰ２の少なくとも一部が窓部対向領域Ａｒ２ｂの配線幅が額縁対向領域Ａｒ２ａの配線幅以上なるようにパターニングされていている。このように構成されることにより、窓部対向領域にはみ出して引回しパターンＰ２の形成されている部分の占有面積を大きくして引回しパターンＰ２の間隙を小さくすることにより、窓部対向領域Ａｒ２ｂにはみ出した引回しパターンＰ２を目立たなくすることができる。同様のことは、図１に示されているダミーパターンＤＰを窓部対向領域Ａｒ２ｂにはみ出した引回しパターンＰ２の間に配置することによっても行うことができる。
【００３７】
（８−５）
第１実施形態に係るディスプレイ装置１０では、偏光部材５０（第１偏光部材の例）によって引回しパターンＰ２の反射光が遮光され、引回しパターンＰ２が窓部対向領域Ａｒ２ｂにはみ出したことによって見栄えが悪くなるのを防ぐことができる。その一方で、液晶パネル６０から出射される光が偏光部材５０によって遮光されるのを基体シート４１（第２偏光部材の例）で防ぐことができ、液晶パネル６０を用いても窓部の一部にまではみ出した部分に引回しパターンＰ２を形成してカバーガラス３０の加飾層３１の幅を狭くし、ディスプレイ装置１０の小型化を図ることができる。なお、第１実施形態では、基体シート４１が第２偏光部材の機能を兼ねているので薄くできるので好ましい。しかし、基体シートを光学等方性フィルムで構成して、λ／４位相差フィルムを別に設けることもできる。
【００３８】
（８−６）
第２実施形態乃至第４実施形態に係るディスプレイ装置１０Ａ，１０Ｂ，１０Ｃでは、偏光部材５０，５０Ａによって引回しパターンＰ５Ａ，Ｐ２Ｂ，Ｐ５Ｃの反射光が遮光され、引回しパターンＰ５Ａ，Ｐ２Ｂ，Ｐ５Ｃが領域Ａｒ５にはみ出したことによって見栄えが悪くなるのを防ぐことができる。その一方で、表示パネル６０Ａから出射される非偏光光が基体シート４１Ａ，４１Ｂ，４１Ｃで悪影響を受けることはなく、非偏光光を出す表示パネル６０を用いても窓部（領域Ａｒ５）の一部にまではみ出した部分に引回しパターンＰ５Ａ，Ｐ２Ｂ，Ｐ５Ｃを形成して加飾層３１の幅を狭くし、ディスプレイ装置１０Ａ，１０Ｂ，１０Ｃの小型化を図ることができる。それと同時に、表示パネル６０の上に形成されるパターンでの反射光を偏光部材５０又は偏光部材５０Ａと基体シート４１Ａによって遮光することができる。
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００３９】
（９）変形例
（９−１）変形例１
上記第１実施形態乃至第４実施形態では、加飾層３１の最内周を額縁部の最内周としたが、フレーム部材２０の周縁部２２の最内周を額縁部の最内周とすることもできる。この場合には、フレーム部材２０が窓形成部材になる。このように、窓形成部材は、カバーガラス３０に限られるものではない。
【００４０】
（９−２）変形例２
上記第１実施形態では、液晶パネル６０を用いる場合に、基体シート４１の上面の引回しパターンＰ２を窓部対向領域Ａｒ２ｂにはみ出させる場合について説明したが、図１０に示されているディスプレイ装置１０Ｄのように、基体シート４１Ｄの下面側の引回しパターンＰ５Ｄをはみ出させるように構成することもできる。
図１０に示されている基体シート４１Ｄは光学等方性フィルムで構成されている。そして、偏光部材５０Ｄは、カバーガラス３０とフィルムセンサ部材４０Ｄとの間に、第１実施形態と同様に直線偏光フィルム５１とλ／４位相差フィルム５２を備えるだけでなく、液晶パネル６０とフィルムセンサ部材４０Ｄとの間にλ／４位相差フィルム５３を備えている。このように構成されると、基体シート４１Ｄの下面側の引回しパターンＰ５Ｄだけでなく、上面側の引回しパターンＰ２Ｄも窓部に対向する領域Ａｒ５にはみ出させることができる。なお、この変形例２において、タッチセンサ１５Ｄの構成部材には、少なくともカバーガラス３０と偏光部材５０Ｄとフィルムセンサ部材４０Ｄが含まれる。
【００４１】
（９−３）変形例３
上記各実施形態では、両面に引回しパターンＰ２〜Ｐ２Ｃ，Ｐ４〜Ｐ４Ｃが形成されている場合について説明したが、基体シートの片面のみに引回しパターンが形成されている場合にも本願発明を適用することができる。
【符号の説明】
【００４２】
１０，１０Ａ，１０Ｂ，１０Ｃ，１０Ｄ  ディスプレイ装置
１５，１５Ａ，１５Ｂ，１５Ｃ，１５Ｄ  タッチセンサ
２０  フレーム部材
３０  カバーガラス
４０，４０Ａ，４０Ｂ，４０Ｃ，４０Ｄ  フィルムセンサ部材
５０，５０Ａ，５０Ｄ  偏光部材
６０  液晶パネル
６０Ａ  表示パネル
【図１】
2015014976.tif 000003
【図２】
2015014976.tif 000004
【図３】
2015014976.tif 000005
【図４】
2015014976.tif 000006
【図５】
2015014976.tif 000007
【図６】
2015014976.tif 000008
【図７】
2015014976.tif 000009
【図８】
2015014976.tif 000010
【図９】
2015014976.tif 000011
【図１０】
2015014976.tif 000012